(57)【要約】【課題】形成される画像が歪んでしまうことを抑制することができる情報処理装置を提供する。【解決手段】情報処理装置は、所定の信号を受信する受信手段と、所定の信号の第１レベルから第２レベルへの変化を検知する検知手段と、複数の反射面のうち、感光体の走査に用いられる反射面を検知手段によって変化が検知されるタイミングに基づいて特定する特定手段と、記憶手段に記憶されている補正データに基づいて、反射面に対応させて画像データを補正する補正手段と、検知手段が変化を検知することに応じて、補正手段によって補正された画像データを画像形成手段に出力する出力手段と、を備え、検知手段は、特定手段が反射面を特定するまでの期間は、変化を検知してから所定時間が経過したら変化の検知を行い、特定手段が反射面を特定した後は、変化を検知してから特定された反射面に応じた時間が経過したら変化の検知を行う。【選択図】図５
2019135522.tif 000002
【特許請求の範囲】
【請求項１】
画像データを受信する第１の受信手段と、
感光体と、
前記第１の受信手段が受信した前記画像データに基づいて光を射出する光源と、
前記光源が射出する前記光を反射する複数の反射面を有し、回転駆動されることにより前記光を偏向して前記感光体を走査する回転多面鏡と、
前記回転多面鏡によって反射された前記光を受光し、前記光を受光することに応じて、第１レベルの信号と第２レベルの信号とを有する所定の信号を出力する受光手段と、
を含む画像形成手段を有する画像形成装置に接続され、前記画像データを前記画像形成手段に出力する情報処理装置において、
前記所定の信号を受信する第２の受信手段と、
前記第２の受信手段が受信した前記所定の信号の前記第１レベルから前記第２レベルへの変化を検知する検知手段と、
前記複数の反射面のうち、前記感光体の走査に用いられる反射面を前記検知手段によって前記変化が検知されるタイミングに基づいて特定する特定手段と、
前記複数の反射面のそれぞれを示す情報を前記複数の反射面のそれぞれに対応する複数の補正データと関連付けて記憶する記憶手段と、
前記記憶手段に記憶されている前記補正データに基づいて、前記反射面に対応させて前記画像データを補正する補正手段と、
前記検知手段が前記変化を検知することに応じて、前記補正手段によって補正された画像データを前記画像形成手段に出力する出力手段と、
を備え、
前記検知手段は、前記特定手段が前記反射面を特定するまでの期間は、前記変化を検知してから所定時間が経過したら前記変化の検知を行い、前記特定手段が前記反射面を特定した後は、前記変化を検知してから前記特定された反射面に応じた時間が経過したら前記変化の検知を行うことを特徴とする情報処理装置。
【請求項２】
前記検知手段は、前記特定手段が前記反射面を特定するまでの期間は、前記変化を検知してから所定時間が経過するまでの期間は前記変化の検知を行わず、前記特定手段が前記反射面を特定した後は、前記変化を検知してから前記特定された反射面に応じた時間が経過するまでの期間は前記変化の検知を行わないことを特徴とする請求項１に記載の情報処理装置。
【請求項３】
画像データを受信する第１の受信手段と、
感光体と、
前記第１の受信手段が受信した前記画像データに基づいて光を射出する光源と、
前記光源が射出する前記光を反射する複数の反射面を有し、回転駆動されることにより前記光を偏向して前記感光体を走査する回転多面鏡と、
前記回転多面鏡によって反射された前記光を受光し、前記光を受光したタイミングを示すタイミング信号を出力する受光手段と、
を含む画像形成手段を有する画像形成装置に接続され、前記画像データを前記画像形成手段に出力する情報処理装置において、
前記タイミング信号を受信する第２の受信手段と、
前記タイミング信号が示す前記タイミングを検知する検知手段と、
前記複数の反射面それぞれの反射面に応じた期間を示す期間情報を保持する保持手段であって、反射面に応じた期間は、当該反射面で反射された前記光を前記受光手段が受光してから、当該反射面の次の反射面で反射された前記光を前記受光手段が受光するまでの期間である、前記保持手段と、
前記複数の反射面のうち、前記感光体の走査に用いられる反射面を特定する特定手段と、
前記複数の反射面のそれぞれを示す情報を前記複数の反射面のそれぞれに対応する複数の補正データと関連付けて記憶する記憶手段と、
前記記憶手段に記憶されている前記補正データに基づいて、前記反射面に対応させて前記画像データを補正する補正手段と、
前記検知手段が前記タイミングを検知することに応じて、前記補正手段によって補正された画像データを前記画像形成手段に出力する出力手段と、
を備え、
前記検知手段は、前記タイミングを検知してからマスク期間の間、前記タイミング信号の検知をマスクし、
前記検知手段は、前記特定手段が前記感光体の走査に用いられる反射面を特定した後は、前記特定手段が特定した反射面により反射された前記光を前記受光手段が受光したことを示すタイミングを検知した際の前記マスク期間を、前記特定手段が特定した反射面に応じた期間に基づき設定することを特徴とする情報処理装置。
【請求項４】
前記検知手段は、前記特定手段が前記感光体の走査に用いられる反射面を特定した後は、前記特定手段が特定した反射面により反射された前記光を前記受光手段が受光したことを示すタイミングを検知した際の前記マスク期間を、前記特定手段が特定した反射面に応じた期間から所定のマージンを減じた期間に設定することを特徴とする請求項３に記載の情報処理装置。
【請求項５】
前記検知手段は、前記特定手段が前記感光体の走査に用いられる反射面を特定するまでは、前記マスク期間を、前記期間情報が示す期間のうちの最も短い期間に基づき設定することを特徴とする請求項３又は４に記載の情報処理装置。
【請求項６】
前記検知手段は、前記特定手段が前記感光体の走査に用いられる反射面を特定するまでは、前記マスク期間を、前記期間情報が示す期間のうちの最も短い期間から所定のマージンを減じた期間に設定することを特徴とする請求項５に記載の情報処理装置。
【請求項７】
前記所定のマージンは、前記回転多面鏡の回転のジッタ量に基づき決定されることを特徴とする請求項４又は６に記載の情報処理装置。
【請求項８】
前記複数の反射面それぞれの反射面に応じた期間の少なくとも１つは、他の期間とは異なる様に、前記回転多面鏡が構成されていることを特徴とする請求項３から７のいずれか１項に記載の情報処理装置。
【請求項９】
前記複数の反射面それぞれの反射面に応じた期間の総てが互いに異なる様に、前記回転多面鏡が構成されていることを特徴とする請求項３から８のいずれか１項に記載の情報処理装置。
【請求項１０】
前記特定手段は、前記タイミング信号が示す、時間的に隣接する２つのタイミングの期間と前記期間情報に基づき前記感光体の走査に用いられる反射面を特定することを特徴とする請求項３から９のいずれか１項に記載の情報処理装置。
【請求項１１】
画像データを受信する第１の受信手段と、
感光体と、
前記第１の受信手段が受信した前記画像データに基づいて光を射出する光源と、
前記光源が射出する前記光を反射する複数の反射面を有し、回転駆動されることにより前記光を偏向して前記感光体を走査する回転多面鏡と、
前記回転多面鏡によって反射された前記光を受光し、前記光を受光したタイミングを示すタイミング信号を出力する受光手段と、
を含む画像形成手段を有する画像形成装置に接続され、前記画像データを前記画像形成手段に出力する情報処理装置において、
前記タイミング信号を受信する第２の受信手段と、
前記複数の反射面の反射面に対応して設けられる複数の検知手段であって、それぞれに前記タイミング信号が入力される前記複数の検知手段と、
前記複数の検知手段による前記タイミング信号が示すタイミングの検知結果から前記感光体の走査に用いられる反射面を特定する特定手段と、
前記複数の反射面のそれぞれを示す情報を前記複数の反射面のそれぞれに対応する複数の補正データと関連付けて記憶する記憶手段と、
前記記憶手段に記憶されている前記補正データに基づいて、前記反射面に対応させて前記画像データを補正する補正手段と、
前記複数の検知手段が前記タイミングを検知することに応じて、前記補正手段によって補正された画像データを前記画像形成手段に出力する出力手段と、
を備え、
前記複数の検知手段のそれぞれは、前記複数の検知手段の少なくとも１つの検知手段が前記タイミングを検出してからマスク期間の間、前記タイミングの検知をマスクし、
前記複数の検知手段の検知手段は、対応する反射面に応じた期間に基づき前記マスク期間を設定し、
反射面に応じた期間は、当該反射面で反射された前記光を前記受光手段が受光してから、当該反射面の次の反射面で反射された前記光を前記受光手段が受光するまでの期間であることを特徴とする情報処理装置。
【請求項１２】
前記複数の検知手段の検知手段は、対応する反射面に応じた期間から所定のマージンを減じた期間に前記マスク期間を設定することを特徴とする請求項１１に記載の情報処理装置。
【請求項１３】
前記所定のマージンは、前記回転多面鏡の回転のジッタ量に基づき決定されることを特徴とする請求項１２に記載の情報処理装置。
【請求項１４】
前記複数の検知手段のそれぞれは、前記マスク期間が経過してから検知期間の間、前記タイミングを検知することを特徴とする請求項１１から１３のいずれか１項に記載の情報処理装置。
【請求項１５】
前記検知期間は、前記回転多面鏡の回転のジッタ量に基づき決定されることを特徴とする請求項１４に記載の情報処理装置。
【請求項１６】
前記回転多面鏡は、前記複数の反射面それぞれの反射面に応じた期間の少なくとも１つが他の反射面に応じた期間とは異なる様に構成されていることを特徴とする請求項１１から１５のいずれか１項に記載の情報処理装置。
【請求項１７】
前記回転多面鏡は、前記複数の反射面それぞれの反射面に応じた期間の総てが異なる様に構成されていることを特徴とする請求項１６に記載の情報処理装置。
【請求項１８】
前記タイミング信号は、前記感光体の走査を開始するタイミングを示す信号であることを特徴とする請求項３から１７のいずれか１項に記載の情報処理装置。
【請求項１９】
画像データを生成する生成手段と、前記生成手段から出力される前記画像データに基づいて、記録媒体に画像形成を行う画像形成手段と、を有する画像形成装置において、
前記画像形成手段は、
画像データを受信する第１の受信手段と、
感光体と、
前記第１の受信手段が受信した前記画像データに基づいて光を射出する光源と、
前記光源が射出する前記光を反射する複数の反射面を有し、回転駆動されることにより前記光を偏向して前記感光体を走査する回転多面鏡と、
前記回転多面鏡によって反射された前記光を受光し、前記光を受光することに応じて、第１レベルの信号と第２レベルの信号とを有する所定の信号を出力する受光手段と、
を備え、
前記生成手段は、
前記所定の信号を受信する第２の受信手段と、
前記第２の受信手段が受信した前記所定の信号の前記第１レベルから前記第２レベルへの変化を検知する検知手段と、
前記複数の反射面のうち、前記感光体の走査に用いられる反射面を前記検知手段によって前記変化が検知されるタイミングに基づいて特定する特定手段と、
前記複数の反射面のそれぞれを示す情報を前記複数の反射面のそれぞれに対応する複数の補正データと関連付けて記憶する記憶手段と、
前記記憶手段に記憶されている前記補正データに基づいて、前記反射面に対応させて前記画像データを補正する補正手段と、
前記検知手段が前記変化を検知することに応じて、前記補正手段によって補正された画像データを前記画像形成手段に出力する出力手段と、
を備え、
前記検知手段は、前記特定手段が前記反射面を特定するまでの期間は、前記変化を検知してから所定時間が経過したら前記変化の検知を行い、前記特定手段が前記反射面を特定した後は、前記変化を検知してから前記特定された反射面に応じた時間が経過したら前記変化の検知を行うことを特徴とする画像形成装置。
【請求項２０】
画像データを生成する生成手段と、前記生成手段から出力される前記画像データに基づいて、記録媒体に画像形成を行う画像形成手段と、を有する画像形成装置において、
前記画像形成手段は、
画像データを受信する第１の受信手段と、
感光体と、
前記第１の受信手段が受信した前記画像データに基づいて光を射出する光源と、
前記光源が射出する前記光を反射する複数の反射面を有し、回転駆動されることにより前記光を偏向して前記感光体を走査する回転多面鏡と、
前記回転多面鏡によって反射された前記光を受光し、前記光を受光したタイミングを示すタイミング信号を出力する受光手段と、
を備え、
前記生成手段は、
前記タイミング信号を受信する第２の受信手段と、
前記タイミング信号が示す前記タイミングを検知する検知手段と、
前記複数の反射面それぞれの反射面に応じた期間を示す期間情報を保持する保持手段であって、反射面に応じた期間は、当該反射面で反射された前記光を前記受光手段が受光してから、当該反射面の次の反射面で反射された前記光を前記受光手段が受光するまでの期間である、前記保持手段と、
前記複数の反射面のうち、前記感光体の走査に用いられる反射面を特定する特定手段と、
前記複数の反射面のそれぞれを示す情報を前記複数の反射面のそれぞれに対応する複数の補正データと関連付けて記憶する記憶手段と、
前記記憶手段に記憶されている前記補正データに基づいて、前記反射面に対応させて前記画像データを補正する補正手段と、
前記検知手段が前記タイミングを検知することに応じて、前記補正手段によって補正された画像データを前記画像形成手段に出力する出力手段と、
を備え、
前記検知手段は、前記タイミングを検知してからマスク期間の間、前記タイミング信号の検知をマスクし、
前記検知手段は、前記特定手段が前記感光体の走査に用いられる反射面を特定した後は、前記特定手段が特定した反射面により反射された前記光を前記受光手段が受光したことを示すタイミングを検知した際の前記マスク期間を、前記特定手段が特定した反射面に応じた期間に基づき設定することを特徴とすることを特徴とする画像形成装置。
【請求項２１】
画像データを生成する生成手段と、前記生成手段から出力される前記画像データに基づいて、記録媒体に画像形成を行う画像形成手段と、を有する画像形成装置において、
前記画像形成手段は、
画像データを受信する第１の受信手段と、
感光体と、
前記第１の受信手段が受信した前記画像データに基づいて光を射出する光源と、
前記光源が射出する前記光を反射する複数の反射面を有し、回転駆動されることにより前記光を偏向して前記感光体を走査する回転多面鏡と、
前記回転多面鏡によって反射された前記光を受光し、前記光を受光したタイミングを示すタイミング信号を出力する受光手段と、
を備え、
前記生成手段は、
前記タイミング信号を受信する第２の受信手段と、
前記複数の反射面の反射面に対応して設けられる複数の検知手段であって、それぞれに前記タイミング信号が入力される前記複数の検知手段と、
前記複数の検知手段による前記タイミング信号が示すタイミングの検知結果から前記感光体の走査に用いられる反射面を特定する特定手段と、
前記複数の反射面のそれぞれを示す情報を前記複数の反射面のそれぞれに対応する複数の補正データと関連付けて記憶する記憶手段と、
前記記憶手段に記憶されている前記補正データに基づいて、前記反射面に対応させて前記画像データを補正する補正手段と、
前記複数の検知手段が前記タイミングを検知することに応じて、前記補正手段によって補正された画像データを前記画像形成手段に出力する出力手段と、
を備え、
前記複数の検知手段のそれぞれは、前記複数の検知手段の少なくとも１つの検知手段が前記タイミングを検出してからマスク期間の間、前記タイミングの検知をマスクし、
前記複数の検知手段の検知手段は、対応する反射面に応じた期間に基づき前記マスク期間を設定し、
反射面に応じた期間は、当該反射面で反射された前記光を前記受光手段が受光してから、当該反射面の次の反射面で反射された前記光を前記受光手段が受光するまでの期間であることを特徴とする画像形成装置。
【発明の詳細な説明】
【技術分野】
【０００１】
本発明は、画像データの補正を行う情報処理装置及び当該情報処理装置を含む画像形成装置に関する。
【背景技術】
【０００２】
電子写真方式の画像形成装置においては、帯電された感光体を露光装置で露光することで感光体に静電潜像を形成している。露光装置は、光源からの光をポリゴンミラーの回転により偏向することによって感光体を走査する。また、光の走査方向（主走査方向）において、感光体より上流側に光を検知するＢＤ（Ｂｅａｍ  Ｄｅｔｅｃｔ）センサが配置される。ＢＤセンサは、光を検知したタイミングを示す主走査同期信号（ＢＤ信号）を出力し、このＢＤ信号に基づき、光による感光体への静電潜像の書き込みタイミングが決定される。
【０００３】
ＢＤ信号にノイズが混入すると、主走査方向の位置がずれ、形成される画像が歪んでしまう可能性がある。特許文献１は、ＢＤ信号の検知後、所定期間のＢＤ信号を認識しない区間を設けることで、その間に混入するノイズをカットする構成を開示している。前記所定期間は、例えば、複数の反射面に対応する走査周期のうち最も短い走査周期に基づいて設定される。具体的には、例えば、当該最も短い走査周期の９０％の時間が前記所定時間として設定される。
【先行技術文献】
【特許文献】
【０００４】
【特許文献１】特開２０１７−３７２６０号公報
【発明の概要】
【発明が解決しようとする課題】
【０００５】
光を偏向するポリゴンミラーの面の形状は面毎に異なる。面の形状が面毎に異なると、ＢＤ信号が立ち下がってから、当該立ち下がりの後の最初にＢＤ信号が立ち下がるまでの時間（走査周期）がポリゴンミラーの反射面毎に異なる。例えば、ＢＤ信号を認識しない期間である所定期間が特許文献１のように設定されると、複数の反射面に対応する走査周期のうち最も長い走査周期においてＢＤ信号を認識しない期間は、当該最も長い走査周期の９０％の時間よりも短くなる。この結果、ＢＤ信号の立ち下がりを検出する際に、当該ＢＤ信号に含まれるノイズに起因して誤検知を引き起こしてしまう可能性がある。その結果、形成される画像が歪んでしまう可能性がある。
【０００６】
本発明は、形成される画像が歪んでしまうことを抑制することができる情報処理装置及び画像形成装置を提供するものである。
【課題を解決するための手段】
【０００７】
本発明の一態様によると、画像データを受信する第１の受信手段と、感光体と、前記第１の受信手段が受信した前記画像データに基づいて光を射出する光源と、前記光源が射出する前記光を反射する複数の反射面を有し、回転駆動されることにより前記光を偏向して前記感光体を走査する回転多面鏡と、前記回転多面鏡によって反射された前記光を受光し、前記光を受光することに応じて、第１レベルの信号と第２レベルの信号とを有する所定の信号を出力する受光手段と、を含む画像形成手段を有する画像形成装置に接続され、前記画像データを前記画像形成手段に出力する情報処理装置は、前記所定の信号を受信する第２の受信手段と、前記第２の受信手段が受信した前記所定の信号の前記第１レベルから前記第２レベルへの変化を検知する検知手段と、前記複数の反射面のうち、前記感光体の走査に用いられる反射面を前記検知手段によって前記変化が検知されるタイミングに基づいて特定する特定手段と、前記複数の反射面のそれぞれを示す情報を前記複数の反射面のそれぞれに対応する複数の補正データと関連付けて記憶する記憶手段と、前記記憶手段に記憶されている前記補正データに基づいて、前記反射面に対応させて前記画像データを補正する補正手段と、前記検知手段が前記変化を検知することに応じて、前記補正手段によって補正された画像データを前記画像形成手段に出力する出力手段と、を備え、前記検知手段は、前記特定手段が前記反射面を特定するまでの期間は、前記変化を検知してから所定時間が経過したら前記変化の検知を行い、前記特定手段が前記反射面を特定した後は、前記変化を検知してから前記特定された反射面に応じた時間が経過したら前記変化の検知を行うことを特徴とする。
【発明の効果】
【０００８】
本発明によると、形成される画像が歪んでしまうことを抑制することができる。
【図面の簡単な説明】
【０００９】
【図１】一実施形態による画像形成装置の構成図。
【図２】記録時媒体１面分の画像を示す図。
【図３】一実施形態によるレーザスキャナユニットの構成を示す図。
【図４】レーザ光が偏向される面を特定する処理の説明図。
【図５】一実施形態によるエンジン制御部の処理のフローチャート。
【図６】一実施形態による各反射面のＢＤ周期を示す図。
【図７】一実施形態によるＢＤ周期の変化量を示す図。
【図８】一実施形態による各反射面のＢＤ周期とＢＤマスク信号との関係を示す図。
【図９】一実施形態による画像制御部の処理のフローチャート。
【図１０】一実施形態による受信部及び面特定部の構成図。
【図１１】一実施形態による各反射面のＢＤ周期とＢＤマスク信号を示す図。
【図１２】一実施形態による画像制御部の処理のフローチャート。
【発明を実施するための形態】
【００１０】
＜第一実施形態＞
以下に図面を参照して、本発明の好適な実施の形態を説明する。ただし、この実施の形態に記載されている構成部品の形状及びそれらの相対配置などは、この発明が適用される装置の構成や各種条件により適宜変更されるべきものであり、この発明の範囲が以下の実施の形態に限定される趣旨のものではない。
【００１１】
［画像形成動作］
図１は、モノクロの電子写真方式の複写機（以下、画像形成装置と称する）１００の構成を示す断面図である。なお、画像形成装置は複写機に限定されず、例えば、ファクシミリ装置、印刷機、プリンタ等であっても良い。また、画像形成装置の形式はモノクロ及びカラーのいずれの形式であっても良い。以下に、図１を用いて、画像形成装置１００の構成および機能について説明する。図１に示すように、画像形成装置１００は、画像読取装置（以下、リーダーと称する）７００及び画像印刷装置７０１を有する。
【００１２】
リーダー７００の読取位置において照明ランプ７０３によって照射された原稿からの反射光は、反射ミラー７０４Ａ、７０４Ｂ、７０４Ｃ及びレンズ７０５からなる光学系によってカラーセンサ７０６に導かれる。リーダー７００は、カラーセンサ７０６に入射された光を、ブルー（以下、Ｂと称する）、グリーン（以下、Ｇと称する）、レッド（以下、Ｒと称する）の色毎に読み取り、電気的な画像信号に変換する。更に、リーダー７００は、Ｂ，Ｇ，Ｒの画像信号の強度に基づいて色変換処理を行うことによって画像データを得て、当該画像データを後述する画像制御部１００７（図３参照）に出力する。
【００１３】
画像印刷装置７０１の内部には、シート収納トレイ７１８が設けられている。シート収納トレイ７１８に収納された記録媒体は、給紙ローラ７１９によって給送されて、搬送ローラ７２２，７２１，７２０によって停止状態のレジストレーションローラ（以下、レジローラと称する）７２３へ送り出される。搬送ローラ７２０によって搬送方向に搬送される記録媒体の先端は、停止状態のレジローラ７２３のニップ部に当接する。そして、記録媒体の先端が停止状態のレジローラ７２３のニップ部に当接している状態で搬送ローラ７２０が記録媒体を更に搬送することによって記録媒体が撓む。この結果、記録媒体に弾性力が働き、記録媒体の先端がレジローラ７２３のニップ部に沿って当接する。このようにして記録媒体の斜行補正が行われる。レジローラ７２３は、記録媒体の斜行補正が行われた後、後述するタイミングで記録媒体の搬送を開始する。なお、記録媒体とは、画像形成装置によって画像が形成されるものであって、例えば、用紙、樹脂シート、布、ＯＨＰシート、ラベル等は記録媒体に含まれる。
【００１４】
リーダー７００によって得られた画像データは、画像制御部１００７によって補正され、レーザ及びポリゴンミラーを含むレーザスキャナユニット７０７に入力される。また、感光ドラム７０８は、帯電器７０９によって外周面が帯電される。感光ドラム７０８の外周面が帯電された後、レーザスキャナユニット７０７に入力された画像データに応じたレーザ光が、レーザスキャナユニット７０７から感光ドラム７０８の外周面に照射される。この結果、感光ドラム７０８の外周面を覆う感光層（感光体）に静電潜像が形成される。なお、静電潜像がレーザ光によって感光層に形成される構成については後述する。
【００１５】
続いて、静電潜像が現像器７１０内のトナーによって現像され、感光ドラム７０８の外周面にトナー像が形成される。感光ドラム７０８に形成されたトナー像は、感光ドラム７０８と対向する位置（転写位置）に設けられた転写帯電器７１１によって記録媒体に転写される。なお、レジローラ７２３は、記録媒体の所定の位置にトナー像が転写されるようなタイミングに合わせて当該記録媒体を転写位置へ送り込む。前述の如くして、トナー像が転写された記録媒体は、定着器７２４へ送り込まれ、定着器７２４によって加熱加圧されて、トナー像が記録媒体に定着される。トナー像が定着された記録媒体は、機外の排紙トレイ７２５へ排出される。このようにして、画像形成装置１００によって記録媒体に画像が形成される。以上が画像形成装置１００の構成および機能についての説明である。
【００１６】
［静電潜像が形成される構成］
図２は、記録媒体１面分の画像を示す図である。図２に示す面番号は、ポリゴンミラー１００２が有するそれぞれの反射面を示す番号であり、本実施形態では、ポリゴンミラー１００２は４つの反射面を有する。図２に示すように、ポリゴンミラー１００２が有する複数の反射面のうちの１つの反射面によって偏向されるレーザ光が感光層を感光ドラム７０８の軸方向（主走査方向）に走査することによって、１走査分（１ライン分）の画像（静電潜像）が感光層に形成される。記録媒体１面分の静電潜像は、それぞれの面で偏向されるレーザ光の走査が感光ドラム７０８の回転方向（副走査方向）に繰り返し行われることによって感光層に形成される。以下の説明においては、１ライン分の静電潜像に対応する画像のデータを画像データと称する。
【００１７】
［光走査装置］
図３は、本実施形態におけるレーザスキャナユニット７０７の構成を示すブロック図である。以下に、レーザスキャナユニット７０７の構成について説明する。なお、本実施形態では、図３に示すように、エンジン制御部１００９が設けられる基板Ａは画像制御部１００７が設けられる基板Ｂとは異なる基板である。また、エンジン制御部１００９が設けられる基板Ａは画像制御部１００７が設けられる基板Ｂとケーブルで繋がれている（接続されている）。
【００１８】
図３に示すように、レーザ光はレーザ光源１０００の両端部から出射される。レーザ光源１０００の一端部から出射されたレーザ光はフォトダイオード１００３に入射する。フォトダイオード（ＰＤ）１００３は、入射されたレーザ光を電気信号に変換しＰＤ信号としてレーザ制御部１００８に出力する。レーザ制御部１００８は、入力されたＰＤ信号に基づいて、レーザ光源１０００の出力光量が所定の光量となるように、レーザ光源１０００の出力光量の制御（Ａｕｔｏ  Ｐｏｗｅｒ  Ｃｏｎｔｒｏｌ、以下ＡＰＣと称する）を行う。
【００１９】
一方、レーザ光源１０００の他端部から出射されたレーザ光はコリメータレンズ１００１を介して回転多面鏡としてのポリゴンミラー１００２に照射される。ポリゴンミラー１００２は、不図示のポリゴンモータによって回転駆動される。ポリゴンモータは、エンジン制御部１００９から出力される駆動信号（Ａｃｃ／Ｄｅｃ）によって制御される。回転するポリゴンミラー１００２に照射されたレーザ光は、ポリゴンミラー１００２によって偏向される。ポリゴンミラー１００２により変更されたレーザ光による感光ドラム７０８の外周面の走査は図３に示す右から左方向に向かって行われる。感光ドラム１０２の外周面を走査するレーザ光は、感光ドラム１０２の外周面上を等速で走査するようにＦ−θレンズ１００５によって補正され、折り返しミラー１００６を介して感光ドラム１０２の外周面に照射される。
【００２０】
また、ポリゴンミラー１００２によって偏向されたレーザ光は、当該レーザ光を受光する受光素子を備える受光部としてのＢＤ（Ｂｅａｍ  Ｄｅｔｅｃｔ）センサ１００４に入射する。なお、本実施形態では、ＢＤセンサ１００４は、ＢＤセンサ１００４がレーザ光を検知してから再びレーザ光を検知するまでの期間において、ＢＤセンサ１００４がレーザ光を検知した後に当該レーザ光が感光ドラム７０８の外周面に照射される位置に配置される。具体的には、例えば、ＢＤセンサ１００４は、図３に示すように、ポリゴンミラー１００２によって反射されたレーザ光が通過する領域のうち角度αで表される領域よりも外側の領域且つレーザ光が走査される方向において上流側の領域に配置される。
【００２１】
ＢＤセンサ１００４は、検出したレーザ光に基づいてＢＤ信号を生成し、エンジン制御部１００９に出力する。エンジン制御部１００９は、入力されたＢＤ信号に基づいて、ポリゴンミラー１００２の回転周期が所定周期になるようにポリゴンモータを制御する。エンジン制御部１００９は、ＢＤ信号の周期が所定周期に対応する周期になると、ポリゴンミラー１００２の回転周期が所定周期になったと判断する。
【００２２】
エンジン制御部１００９は、入力されるＢＤ信号に応じて作像用ＢＤ信号（タイミング信号）を画像制御部１００７へ出力する。作像用ＢＤ信号はＢＤ信号と同期した信号であり、レーザ光が感光ドラム１０２を走査する１走査周期を示す信号に対応する。画像制御部１００７は、入力される作像用ＢＤ信号に応じて、補正された画像データをレーザ制御部１００８へ出力する。なお、エンジン制御部１００９及び画像制御部１００７の具体的な制御構成については後述する。
【００２３】
レーザ制御部１００８は、入力される画像データに基づいてレーザ光源１０００を点灯させることによって、感光ドラム７０８の外周面に画像を形成するためのレーザ光を発生させる。このように、レーザ制御部１００８は、情報処理装置としての画像制御部１００７によって制御される。発生したレーザ光は、上述した方法で感光ドラム７０８の外周面に照射される。
【００２４】
なお、シートセンサ７２６が記録媒体を検知する位置から転写位置までの距離Ｌは、レーザ光が照射される感光ドラム１０２の外周面上の位置から転写位置までの感光ドラム１０２の回転方向における距離ｘよりも長い。具体的には、距離Ｌは、シートセンサ７２６が記録媒体の先端を検知してからレーザ光源１０００からレーザ光が出射されるまでの期間に記録媒体が搬送される距離と距離ｘとを足し合わせた距離になる。なお、シートセンサ７２６が記録媒体の先端を検知してからレーザ光源１０００からレーザ光が出射されるまでの期間においては、画像制御部１００７による画像データの補正や画像制御部１００７によるレーザ制御部１００８の制御等が行われる。以上が、光走査装置１０４の構成の説明である。
【００２５】
［ポリゴンミラーの面を特定する方法］
画像制御部１００７は、入力される作像用ＢＤ信号の周期に応じて、補正した画像データを、副走査方向における最上流の画像データから順にレーザ制御部１００８に出力する。レーザ制御部１００８は、入力される画像データに応じてレーザ光源１０００を制御することによって、感光ドラム７０８の外周面上に画像を形成する。なお、本実施形態においては、ポリゴンミラー１００２の面の数は４個であるが、ポリゴンミラー１００２の面の数は４個に限定されるわけではない。
【００２６】
記録媒体に形成される画像は、ポリゴンミラー１００２が有する複数の反射面により偏向されたレーザ光によって形成される。具体的には、例えば、図２に示すように、副走査方向における最上流の画像データに対応する画像は、ポリゴンミラー１００２の第１面により偏向されたレーザ光によって形成される。また、副走査方向における最上流から２番目の画像データに対応する画像は、ポリゴンミラー１００２の第１面とは異なる第２面により偏向されたレーザ光によって形成される。このように、記録媒体に形成される画像は、ポリゴンミラー１００２が有する複数の反射面のうち異なる反射面により反射されたレーザ光によって形成される画像で構成される。
【００２７】
レーザ光を偏向するポリゴンミラーとして４個の反射面を有するポリゴンミラーが用いられる場合、ポリゴンミラー１００２の隣接する２つの反射面がなす角度は正確には９０°でない可能性がある。具体的には、４個の反射面を有するポリゴンミラーを回転軸方向から見た場合に、隣接する２つの辺が成す角度が正確には９０°でない（即ち、回転軸方向から見たポリゴンミラーの形状が正方形でない）可能性がある。なお、ｎ個（ｎは正の整数）の反射面を有するポリゴンミラーが用いられる場合、回転軸方向から見たポリゴンミラーの形状が正ｎ角形でない可能性がある。
【００２８】
４個の反射面を有するポリゴンミラーが用いられる場合、ポリゴンミラーの隣接する２つの反射面がなす角度が正確に９０°でないと、レーザ光によって形成される画像の位置や大きさが、反射面ごとに異なってしまう。その結果、感光ドラム７０８の外周面上に形成される画像に歪みが生じ、記録媒体に形成される画像にも歪みが生じてしまう。
【００２９】
そこで、本実施形態では、ポリゴンミラー１００２が有する複数の反射面のそれぞれに対応する補正量（補正データ）による補正（書き出し位置の補正等）が画像データに対して行われる。この場合、レーザ光が偏向される面を特定する構成が必要となる。以下に、レーザ光が偏向される面を特定する方法の一例を説明する。本実施形態では、ポリゴンミラー１００２が備える複数の反射面のうちレーザ光を偏向（反射）する面を、画像制御部１００７に設けられた面特定部１０１０が特定する。
【００３０】
図４（Ａ）は、レーザ光がＢＤセンサ１００４の受光面を走査することによって生成されたＢＤ信号と当該レーザ光が偏向される面（面番号）との関係の一例を示す図である。図４（Ａ）に示すように、ＢＤ信号のパルスの変化、本例では、立ち下がってから当該ＢＤ信号が立ち下がった後の最初にＢＤ信号が立ち下がるまでの時間（走査周期）は、ポリゴンミラー１００２の面ごとに異なる。つまり、ＢＤ信号の時間的に連続する２つのパルスの立下りタイミング間の期間は一定ではない。なお、走査周期は、レーザ光がＢＤセンサ１００４の受光面を走査してから、レーザ光が当該受光面を走査した後の最初に再びレーザ光が受光面を走査するまでの時間に対応する。
【００３１】
図４（Ａ）では、面番号１に対応する周期はＴ１、面番号２に対応する周期Ｔ２、面番号３に対応する周期はＴ３、面番号４に対応する周期はＴ４と示されている。なお、それぞれの周期は面特定部１０１０に設けられたメモリ１０１０ａに期間情報として格納されている。
【００３２】
面特定部１０１０は、レーザ光が偏向される面（面番号）を以下の方法で特定する。具体的には、面特定部１０１０は、図４（Ｂ）に示すように、ＢＤ信号の連続する４つの走査周期に対して面番号Ａ乃至Ｄを設定する。そして、面特定部１０１０は、面番号Ａ乃至Ｄのそれぞれについての走査周期を複数回（例えば３２回）測定し、測定した周期の平均値を面番号Ａ乃至Ｄのそれぞれについて算出する。
【００３３】
面特定部１０１０は、算出した周期と、メモリ１０１０ａが保持している周期Ｔ１乃至Ｔ４と、に基づいて面番号Ａ乃至Ｄがそれぞれ面番号１乃至４のどれに対応するかを特定する。以上のようにして、面特定部１０１０は、レーザ光が偏向される面（ポリゴンミラー１００２が有する複数の反射面のうち感光ドラム７０８の走査に用いられる反射面）の番号を、入力されるＢＤ信号に基づいて特定する。
【００３４】
＜エンジン制御部＞
次に、本実施形態におけるエンジン制御部１００９が行う制御について説明する。図５は、本実施形態におけるエンジン制御部１００９が行う制御を説明するフローチャートである。なお、図５に示すフローチャートの処理は、エンジン制御部１００９によって実行される。
【００３５】
印刷ジョブが開始されると、Ｓ１０１において、エンジン制御部１００９は、ポリゴンミラー１００２を回転駆動するモータ（ポリゴンモータ）の駆動を開始する。Ｓ１０２において、ポリゴンミラー１００２の回転周期が所定周期になると、Ｓ１０３において、エンジン制御部１００９は作像用ＢＤ信号の出力を開始する。そして、Ｓ１０４において、面特定処理が完了したことが画像制御部１００７から通信Ｉ／Ｆ１０１２を介してエンジン制御部１００９に通知されると、処理はＳ１０５に進む。
【００３６】
その後、Ｓ１０５において、記録媒体に画像を形成する指示（印刷を実行する指示）が画像制御部１００７から通信Ｉ／Ｆ１０１２を介してエンジン制御部１００９に出力されると、Ｓ１０６において、エンジン制御部１００９は、レジローラ７２３の駆動を開始する。この結果、記録媒体の搬送が開始される。
【００３７】
その後、Ｓ１０７において、シートセンサ７２６が記録媒体の先端を検知したことを示す信号がエンジン制御部１００９に入力されると、Ｓ１０８において、エンジン制御部１００９は、カウンタ１００９ａを使用して、出力した作像用ＢＤ信号のパルスのカウントを開始する。なお、エンジン制御部１００９は、例えば、出力した作像用ＢＤ信号のパルスの立ち下がりをカウントする。
【００３８】
Ｓ１０９において、カウントしたパルスの数が記録媒体１枚分に相当するパルスの数に到達すると、Ｓ１１０において、エンジン制御部１００９は、出力した作像用ＢＤ信号のパルスのカウントを終了し、Ｓ１１１において、エンジン制御部１００９は当該カウント数をリセットする。
【００３９】
更にＳ１１２において、エンジン制御部１００９は、レジローラ７２３の駆動を停止する。次に、Ｓ１１３において、印刷ジョブが終了しない場合は、処理は再びＳ１０５に戻る。また、Ｓ１１３において、印刷ジョブが終了する場合は、エンジン制御部１００９は、Ｓ１１４において、作像用ＢＤ信号の出力を停止し、Ｓ１１５において、エンジン制御部１００９は、ポリゴンミラー１００２の駆動を停止して、このフローチャートの処理を終了する。以上が、エンジン制御部１００９が行う制御についての説明である。
【００４０】
＜画像制御部＞
次に、画像制御部１００７が行う制御について説明する。図３に示すように、画像制御部１００７は、複数の反射面のうちＢＤセンサ１００４の受光面を走査するレーザ光が偏向される反射面を特定する面特定部１０１０及び当該反射面に関する面情報に基づいて画像データを補正する画像補正部１０１１を有する。
【００４１】
面特定部１０１０は、ＢＤ信号のパルスが立ち下がってから当該ＢＤ信号が立ち下がった後の最初にＢＤ信号が立ち下がるまでの時間を計測するタイマ１０１０ｃを備えている。面特定部１０１０は、タイマ１０１０ｃの計測結果とメモリ１０１０ａに格納されている周期Ｔ１乃至Ｔ４とに基づいて上述した方法で反射面の特定処理を行う。
【００４２】
また、面特定部１０１０は、特定した反射面の情報を記憶する面カウンタ１０１０ｂを有する。面特定部１０１０は、反射面を特定した後は、作像用ＢＤ信号が入力される度に（作像用ＢＤ信号の立ち下がりエッジを検出する度に）面カウンタの面情報を更新し、当該面情報を出力する。
【００４３】
｛マスク処理部｝
画像制御部１００７に入力される作像用ＢＤ信号（又は作像用ＢＤ信号の立ち下がりエッジ）は、受信部１０１３によって検出される。画像制御部１００７に入力される作像用ＢＤ信号にノイズが混入している場合、作像用ＢＤ信号を誤検知してしまう可能性がある。そこで、本実施形態では、図３に示すように、作像用ＢＤ信号の検出に対してマスク処理を行うマスク処理部１０１４が受信部１０１３に設けられている。
【００４４】
図６は、ポリゴンミラー１００２の各反射面における走査周期Ｔ１、Ｔ２、Ｔ３及びＴ４の長さの一例を示す図である。図６では、作像用ＢＤ信号が示す走査周期Ｔ１、Ｔ２、Ｔ３及びＴ４の長さを比較し易いように、始点の位置を合わせて示されている。図６におけるＢＤマスク信号６１１は、マスク処理部１０１４から出力される信号であり、ＢＤマスク信号６１１がハイである期間は、作像用ＢＤ信号の検知がマスクされる。なお、本実施形態では、ＢＤマスク信号６１１がハイである期間は、受信部１０１３は、作像用ＢＤ信号の検知を行わないが、この限りではない。例えば、ＢＤマスク信号６１１がハイである期間は、受信部１０１３は作像用ＢＤ信号の検知を行うが当該検知結果が受信部１０１３から出力されない構成であってもよい。また、例えば、ＢＤマスク信号６１１がハイである期間は、受信部１０１３は作像用ＢＤ信号の検知を行い、当該検知結果を出力するが、面特定部１０１０及び画像補正部１０１１が当該検知結果を無視する（採用しない）構成であってもよい。また、本実施形態では、マスク処理部１０１４は、受信部１０１３によって作像用ＢＤ信号の立ち下がりエッジが検出されると、ＢＤマスク信号６１１を'Ｌ（ローレベル）'から'Ｈ（ハイレベル）'に切り替える。以下に、マスク処理部１０１４によるＢＤマスク信号６１１の制御方法について説明する。
【００４５】
本実施形態では、面特定部１０１０による面特定が完了するまでの期間中、マスク処理部１０１４は、受信部１０１３によって作像用ＢＤ信号の立ち下がりエッジが検出されてから所定時間Ｔｍが経過するまでＢＤマスク信号を'Ｈ'にする。なお、所定時間Ｔｍは、走査周期Ｔ１、Ｔ２、Ｔ３及びＴ４のうち最も短い周期に基づいて設定される。具体的には、所定時間Ｔｍは、走査周期Ｔ１、Ｔ２、Ｔ３及びＴ４のうち最も短い周期より所定の時間（マージン）だけ短い時間であって、予め設定された時間である。所定時間Ｔｍは、マスク処理部１０１４に設けられたメモリ１０１４ａに格納されている。
【００４６】
図７は、マージンの設定方法の説明図である。各反射面の走査周期には、ポリゴンミラー１００２の回転むらに起因してばらつきが生じる。図７は、第２面の周期Ｔ２を複数回、観測したときの分布７０１を示している。期間Ｔ６は、分布７０１の範囲に対応する。例えば、マージンは、Ｔ６の半分に設定され、期間Ｔｍは、以下の式（１）に基づいて設定される。
Ｔｍ＝Ｔ２−Ｔ６／２        （１）
以下の説明では、具体的な数値例として、Ｔ１＝３１３.７３４５（μｓ）、Ｔ２＝３１２.９５５６（μｓ）、Ｔ３＝３１３.３３２９（μｓ）、Ｔ４＝３１３.１７７０（μｓ）を用いる。さらに、具体的な数値例として、ポリゴンミラー１００２は、３１３.３（μｓ）で１回転し、１０．４（ｎｓ）の回転むらが生じ得るものとする。回転むら１０．４（ｎｓ）は、ポリゴンミラー１００２の１回転当たりの回転むらであり、Ｔ６は１０．４（ｎｓ）となる。したがって、式（１）より、Ｔｍ＝３１２.９５０４（μｓ）となる。
【００４７】
マスク処理部１０１４は、ＢＤマスク信号６１１を'Ｈ'にしてから所定時間Ｔｍが経過すると、ＢＤマスク信号６１１を'Ｈ'から'Ｌ'に切り替える。上述のマスク処理では、ＢＤマスク信号６１１が'Ｈ'である期間Ｔｍは、走査周期Ｔ１、Ｔ２、Ｔ３及びＴ４のうち最も短い周期に基づいて設定される。この場合、図６に示すように、ＢＤマスク信号６１１が'Ｌ'である時間が、第２面、第４面、第３面、第１面の順に長くなる。具体的には、例えば、第１面におけるＢＤ検知期間（ＢＤマスク信号６１１が'Ｌ'である期間）は、３１３．７３４５（μｓ）−３１２.９５０４（μｓ）＝７８４.１（ｎｓ）となる。ＢＤマスク信号６１１が'Ｌ'である期間が長いほど、当該期間に作像用ＢＤ信号にノイズが含まれることに起因して立ち下がりエッジが誤検知されてしまう可能性が高くなる。そこで、本実施形態では、以下の構成が用いられることによって、形成される画像が歪んでしまうことを抑制する。
【００４８】
前述したように、面特定部１０１０は、反射面の特定処理が完了すると、面情報を出力する。図３に示すように、受信部１０１３（マスク処理部１０１４）には、面特定部１０１０から出力される面情報（面番号）が入力される。
【００４９】
マスク処理部１０１４は、当該面情報に基づいて、各反射面に対応したマスク処理を行う。具体的には、第ｋ面（ｋは１〜４）におけるＢＤマスク期間Ｔｍｋは、以下の式（２）により設定される。
Ｔｍｋ＝Ｔｋ−Ｔ６／２        （２）
上記具体的な数値を当てはめると、
Ｔｍ１＝３１３．７２９３（μｓ）
Ｔｍ２＝３１２．９５０４（μｓ）
Ｔｍ３＝３１３．３２７７（μｓ）
Ｔｍ４＝３１３．１７１８（μｓ）
となる。なお、Ｔｍ１、Ｔｍ２、Ｔｍ３及びＴｍ４は予め設定された値であり、マスク処理部１０１４に設けられたメモリ１０１４ａに格納されている。
【００５０】
図８は、反射面の特定後における作像用ＢＤ信号とＢＤマスク信号６１１との関係を示している。面番号１の反射面により反射された作像用ＢＤ信号の検出に応じて、マスク処理部１０１４は、ＢＤマスク信号６１１を'Ｈ'にする。そして、期間Ｔｍ１が経過すると、マスク処理部１０１４は、ＢＤマスク信号６１１を'Ｈ'から'Ｌ'に切り替える。これにより受信部１０１３は、作像用ＢＤ信号の検知を行う。そして、面番号２の反射面により反射された作像用ＢＤ信号の検出に応じて、マスク処理部１０１４は、ＢＤマスク信号６１１を期間Ｔｍ２の間'Ｈ'にする。以下、同様に処理が繰り返される。
【００５１】
｛画像データの補正｝
補正手段としての画像補正部１０１１は、図２において説明した１ページ分の画像を構成する複数のデータのうち副走査方向における最上流の画像データである画像データＡから順に画像データを補正する。具体的には、例えば、画像データＡに対応する画像が面番号１に対応する反射面によって偏向されるレーザ光によって形成される画像である場合、画像補正部１０１１は、面番号１に対応する補正を、画像データＡに対して行う。より具体的には、画像補正部１０１１は、メモリ１０１１ａから面番号'１'に関連付けられた補正データを読み出す。そして、画像補正部１０１１は、画像データＡを、読み出した補正データに基づいて補正する。その後、画像補正部１０１１は、副走査方向において画像データＡよりも下流側の複数の画像データのうち、最上流の画像データＢを、メモリ１０１１ａに記憶されている面番号'２'に対応する補正データに基づいて補正する。このように、メモリ１０１１ａには、それぞれの面番号に対応する補正データが格納されている。
【００５２】
このような構成によって、面番号'ｎ'（ｎは１から４までの整数）に対応する補正データによって補正された画像データに応じたレーザ光が面番号'ｎ'に対応する反射面によって偏向される。画像補正部１０１１は、記録媒体１面分の画像データの補正が完了するまで、上述の処理を行う。
【００５３】
画像補正部１０１１は、上述のようにして領域ごとに補正された画像データを、下流側から（即ち、画像データＡから）順番に領域ごとにレーザ制御部１００８に出力する。なお、画像補正部１０１１は、作像用ＢＤ信号の立ち下がりエッジが検出される度に（即ち、作像用ＢＤ信号の周期に応じて）、１個分の画像データをレーザ制御部１００８に出力する。なお、本実施形態では、画像補正部１０１１は、作像用ＢＤ信号に同期して、画像データの補正及び補正された画像データの出力を行うが、この限りではない。例えば、画像補正部１０１１は、予め画像データを面カウンタ１０１０ｂの面番号に基づいて補正し、当該予め補正された画像データを作像用ＢＤ信号に同期してレーザ制御部１００８に出力する構成でもよい。
【００５４】
画像補正部１０１１には、出力した画像データの個数をカウントするカウンタ（不図示）が内蔵されており、当該カウンタのカウントが記録媒体１枚分（１ページ分）に到達すると、画像データの出力を停止する。
【００５５】
図９は、画像制御部１００７によって行われる制御を説明するフローチャートである。なお、図９に示すフローチャートの処理は、ＣＰＵ１５１によって実行される。なお、以下の説明において、面カウンタ１０１０ｂから画像補正部１０１１へ出力される面番号は、当該面カウンタ１０１０ｂの面番号が更新される度に更新される。また、図９に示すフローチャートが実行されている期間中、画像制御部１００７（画像補正部１０１１）は、出力した画像データの領域の個数をカウントしている。
【００５６】
Ｓ２０１において、エンジン制御部１００９から画像制御部１００７への作像用ＢＤ信号の入力が開始されると、処理はＳ２０２に進む。Ｓ２０２において、ＣＰＵ１５１は、受信部１０１３が立ち下がりエッジを検出してから所定時間ＴｍだけＢＤマスク信号６１１を'Ｈ'にするようにマスク処理部１０１４を制御する。この結果、時間Ｔｍ分だけ作像用ＢＤ信号の検出に対してマスク処理が行われる。
【００５７】
次に、Ｓ２０３において、ＣＰＵ１５１は、作像用ＢＤ信号に基づいて面特定処理を行うように面特定部１０１０を制御する。この結果、面特定部１０１０による面特定処理が開始される。Ｓ２０４において、面特定が完了すると、Ｓ２０５において、ＣＰＵ１５１は、反射面毎にマスク処理を行うようにマスク処理部１０１４を制御する。この結果、時間Ｔｍｋ分だけ、即ち、反射面に応じて、作像用ＢＤ信号の検出に対してマスク処理が行われる。そして、Ｓ２０５において、ＣＰＵ１５１は、面特定が完了したことを通信Ｉ／Ｆ１０１２を介してエンジン制御部１００９に通知する。
【００５８】
その後、Ｓ２０７において、ＣＰＵ１５１は、記録媒体への画像形成を行う指示をエンジン制御部１００９に出力する。その結果、エンジン制御部１００９はレジローラ７２３の駆動を開始する。Ｓ２０８において、シートセンサ７２６が記録媒体の先端を検知したことがエンジン制御部１００９から画像制御部１００７に通知されると、ＣＰＵ１５１は処理をＳ２０９に進める。Ｓ２０９において、作像用ＢＤ信号が入力されると、Ｓ２１０において、ＣＰＵ１５１は、面カウンタ１０１０ｂが示す面番号に基づいて、画像データの補正を行うように画像補正部１０１１を制御する。この結果、画像補正部１０１１は、面カウンタ１０１０ｂが示す面番号に基づいて、画像データの補正を行う。
【００５９】
そして、Ｓ２１１において、ＣＰＵ１５１は、Ｓ２１０において補正された画像データを、作像用ＢＤ信号に同期してレーザ制御部１００８に出力するように画像補正部１０１１を制御する。その結果、補正された画像データが作像用ＢＤ信号に同期してレーザ制御部１００８に出力される。画像制御部１００７は、記録媒体１面分（１ページ分）の画像データを出力するまで、Ｓ２０９からＳ２１１までの処理を繰り返し行う。以降、ＣＰＵ１５１は、印刷ジョブが終了するまで上述の処理を繰り返し行う。
【００６０】
このように、反射面の特定前においては、走査周期Ｔ１、Ｔ２、Ｔ３及びＴ４のうち最も短い周期に基づいて設定された時間Ｔｍに基づきマスク処理が行われ、反射面の特定後においては、当該反射面の走査周期に基づいて設定された時間Ｔｍｋに基づきマスク処理が行われる。この構成により、ＢＤ信号の検知期間を短くでき、よって、ノイズによる作像用ＢＤ信号の誤検知を抑制することができる。即ち、形成される画像が歪んでしまうことを抑制することができる。
【００６１】
＜第二実施形態＞
画像形成装置の構成が第１実施形態と同様である部分については、説明を省略する。第一実施形態では、レーザ光を反射する反射面を特定するまでは、最小のＢＤ周期に合わせてＢＤマスク期間を設定していた。本実施形態では、ポリゴンミラー２０４の反射面それぞれに対応する検知部を設け、各検知部が並行してＢＤ信号の検知を行う。図１０は、本実施形態の受信部１０１３及び面特定部１０１０の構成図である。本実施形態のポリゴンミラー１００２の反射面の数は、４つであるため、受信部１０１３及び面特定部１０１０は、第１マスク部から第４マスク部と、第１マスク部から第４マスク部それぞれに対応する第１検知部から第４検知部を有する。第１マスク部から第４マスク部には、それぞれ、第一実施形態で説明したＢＤマスク期間Ｔｍ１〜Ｔｍ４が設定される。そして、第１検知部は、ＢＤマスク期間Ｔｍ１が経過すると、作像用ＢＤ信号の検知を開始する。同様に、第２検知部は、ＢＤマスク期間Ｔｍ２が経過すると、作像用ＢＤ信号の検知を行い、第３検知部は、ＢＤマスク期間Ｔｍ３が経過すると、作像用ＢＤ信号の検知を行い、第４検知部は、作像用ＢＤマスク期間Ｔｍ４が経過すると、ＢＤ信号の検知を行う。なお、本例では、ジッタの期間Ｔ６＝１０．４（ｎｓ）であるため、各検知部は、１０．４（ｎｓ）の間、作像用ＢＤ信号の検知を行う。また、レーザ光の射出を開始してから最初の作像用ＢＤ信号を検出するまでの間、各検知部は、作像用ＢＤ信号の検知をマスクせず、作像用ＢＤ信号の検知を行う。
【００６２】
図１１は、各ＢＤ周期と、ＢＤマスク期間との関係を示している。例えば、図１１から明らかな様に、レーザ光を反射しているのが第１面であると、第１検知部のみが作像用ＢＤ信号を検知し、レーザ光を反射しているのが第２面であると、第２検知部のみが作像用ＢＤ信号を検知する。同様に、レーザ光を反射しているのが第３面であると、第３検知部のみが作像用ＢＤ信号を検知し、レーザ光を反射しているのが第４面であると、第４検知部のみが作像用ＢＤ信号を検知する。各検知部は、いずれかの検知部が作像用ＢＤ信号を検知すると、対応するマスク部に設定されたマスク期間だけ作像用ＢＤ信号の検知を停止し、マスク期間が経過するとＢＤ検知期間、本例では、Ｔ６＝１０．４（ｎｓ）の間、作像用ＢＤ信号の検知を行う。したがって、作像用ＢＤ信号を検知した検知部によりレーザ光を反射している反射面を特定することができる。出力部は、この様に特定した面番号と、作像用ＢＤ信号の検出タイミングＢＤ＿ｏｕｔを画像補正部１０１１に出力する。なお、本例ではＢＤ検知期間を、ポリゴンミラー２０４の１回転当たりのジッタ量により求めたが、本発明はこれに限定されず、ＢＤ周期のばらつきに基づき設定すれば良い。
【００６３】
図１２は、本実施形態における画像制御部１００７による制御のフローチャートである。なお、図１２は、図９に示す第一実施形態との相違部分のみを示している。本実施形態では、図９のＳ２０２〜Ｓ２０５の処理を、Ｓ１０００〜Ｓ１００２の処理に置き換える。Ｓ２０１で、作像用ＢＤ信号の入力が開始されると、画像制御部１００７は、Ｓ１０００で、第１マスク部〜第４マスク部に、マスク期間Ｔｍ１〜Ｔｍ４をそれぞれ設定する。画像制御部１００７は、Ｓ１００１で、作像用ＢＤ信号に基づき反射面の特定を開始する。画像制御部１００７は、Ｓ１００２で、上述した様に、各検知部の検知結果により反射面を特定する。
【００６４】
なお、図１１に示す様に、本例では、いずれかの検知部のみがＢＤ信号の検知期間においてＢＤ信号を検知する。しかしながら、例えば、図１０の期間Ｔ２と期間Ｔ４との差が小さい場合、第２検知部と第４検知部が共にＢＤ信号を検知し得る。この様な場合には、次にＢＤ信号を検知する検知部により、レーザ光を反射する反射面を判定することができる。つまり、次のＢＤ信号を第３検知部が検知すると、レーザ光を反射しているのが第３面であると判定でき、よって、１つ前の反射面は第２面であると判定することができる。一方、次のＢＤ信号を第１検知部が検知すると、レーザ光を反射しているのが第１面であると判定でき、よって、１つ前の反射面は第４面であると判定することができる。同様に、３つのＢＤ周期の差が小さくても、残りの１つのＢＤ周期との差が大きければ、この残りの１つのＢＤ周期により反射面を特定することができる。したがって、不等長多角形であるポリゴンミラー１００２は、少なくとも１つの反射面に対応するＢＤ周期が、他の反射面に対応するＢＤ周期とは区別できるように構成され得る。例えば、不等長多角形であるポリゴンミラー１００２は、総ての反射面に対応するＢＤ周期が異なる様に構成され得る。
【００６５】
本実施形態では、レーザ光を反射する反射面の特定前からＢＤ信号の検知時間を短くすることができ、よって、ノイズ混入による誤動作を防止することができる。また、ＢＤ信号を検知する検知部によりレーザ光を反射する反射面を特定でき、よって、素早く反射面を特定することできる。
【００６６】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６７】
７０８：感光ドラム、１０００：レーザ光源、１００２：ポリゴンミラー、１００４：ＢＤセンサ、１０１０：面特定部
【図１】
2019135522.tif 000003
【図２】
2019135522.tif 000004
【図３】
2019135522.tif 000005
【図４】
2019135522.tif 000006
【図５】
2019135522.tif 000007
【図６】
2019135522.tif 000008
【図７】
2019135522.tif 000009
【図８】
2019135522.tif 000010
【図９】
2019135522.tif 000011
【図１０】
2019135522.tif 000012
【図１１】
2019135522.tif 000013
【図１２】
2019135522.tif 000014